(57)【要約】【課題】容易に着脱可能で、打撃により生じる音のミュートと打撃による振動がドラム本体に伝達されて生じる音のミュートとを別々に調整可能な楽器用ミュート部材を提供する。【解決手段】楽器用ミュート部材１００は、振動部材Ｄとの接触面を有する第一振動抑制部１と、前記第一振動抑制部の前記接触面と連続する平坦面をなす前記振動部材との接触面を有し、前記第一振動抑制部と比較して前記振動部材の振動抑制力が低い、第二振動抑制部２と、を備える。【選択図】図１
2018146747.tif 000002
【特許請求の範囲】
【請求項１】
振動部材との接触面を有する第一振動抑制部と、
前記第一振動抑制部の前記接触面と連続する平坦面をなす前記振動部材との接触面を有し、前記第一振動抑制部と比較して前記振動部材の振動抑制力が低い、第二振動抑制部と、を備えた、
楽器用ミュート部材。
【請求項２】
前記第一振動抑制部は、前記第二振動抑制部と比較して、前記平坦面における単位面積当たりの質量が大きい、
請求項１に記載の楽器用ミュート部材。
【請求項３】
前記第一振動抑制部は、前記第二振動抑制部と比較して、前記平坦面の法線方向の厚みが厚い、
請求項１に記載の楽器用ミュート部材。
【請求項４】
前記第一振動抑制部は、前記振動部材の内周縁部を覆う環状であり、
前記第二振動抑制部は、前記第一振動抑制部の内側空洞を覆う円形状である、
請求項１から請求項３のいずれか一項に記載の楽器用ミュート部材。
【請求項５】
前記第二振動抑制部は、前記振動部材の内周縁部を覆う環状であり、
前記第一振動抑制部は、前記第二振動抑制部の内側空洞を覆う円形状である、
請求項１から請求項３のいずれか一項に記載の楽器用ミュート部材。
【請求項６】
前記第一振動抑制部と前記第二振動抑制部とは、第一ミュート部材と第二ミュート部材を積層することで構成されている、
請求項１から請求項５のいずれか一項に記載の楽器用ミュート部材。
【発明の詳細な説明】
【技術分野】
【０００１】
本発明は、アコースティックドラムに用いる楽器用ミュート部材に関する。
【背景技術】
【０００２】
従来、アコースティックドラムをミュート（消音）する装置や方法が知られている。例えば、アコースティックドラムの打面にテープ等のミュート部材を装着させ、スティックなどの打撃体でドラムヘッドを打撃した際に発生するドラムヘッドの振動の振幅や振動時間を低減させるミュート方法が知られている。また、ドラムヘッドをパッドなどで直接覆い、スティックなどの打撃体からドラムヘッドが受ける運動エネルギー自体を低減させる方法もある。
【０００３】
このようなミュート装置や方法において、ミュート部材は容易にアコースティックドラムに装着することができものが多い。容易に着脱できるミュート部材を用いて、使用者はアコースティックドラムを手軽にミュートすることができる。
【０００４】
特許文献１には、打楽器を被う打楽器用カバーが記載されている。カバーは打楽器の形状にあわせて形成されており、そのカバーには消音パッドが付設されている。カバーは容易に打楽器に着脱可能であるが、打楽器の打面に直接装着されるものである。
【先行技術文献】
【特許文献】
【０００５】
【特許文献１】実公昭５８−０４３０３０号公報
【発明の概要】
【発明が解決しようとする課題】
【０００６】
しかしながら、これらのミュート部材の多くは、ドラムヘッドのどの部分にも均等に装着されていた。そのため、これらのミュート部材においては、スティック等の打撃体による打撃による音のミュートと、打撃による振動がドラム本体に伝達されて生じる音のミュートとは、特に区別されてなかった。
【０００７】
本発明は、上記の事情に鑑みなされたもので、容易に着脱可能で、打撃により生じる音のミュートと打撃による振動がドラム本体に伝達されて生じる音のミュートとを別々に調整可能な楽器用ミュート部材を提供することを目的とする。
【課題を解決するための手段】
【０００８】
上記課題を解決するために、この発明は以下の手段を提案している。
本発明の楽器用ミュート部材は、振動部材との接触面を有する第一振動抑制部と、前記第一振動抑制部の前記接触面と連続する平坦面をなす前記振動部材との接触面を有し、前記第一振動抑制部と比較して前記振動部材の振動抑制力が低い、第二振動抑制部と、を備える。
【発明の効果】
【０００９】
本発明によれば、容易に着脱可能で、打撃により生じる音のミュートと打撃による振動がドラム本体に伝達されて生じる音のミュートとを別々に調整可能な楽器用ミュート部材を提供することができる。
【図面の簡単な説明】
【００１０】
【図１】本発明の第一実施形態に係る楽器用ミュート部材の全体構成を示す図である。
【図２】本発明の第一実施形態に係る楽器用ミュート部材の平面図および断面図である。
【図３】本発明の第一実施形態に係る楽器用ミュート部材をドラムに取り付けた際の断面図である。
【図４】本発明の第一実施形態に係る楽器用ミュート部材の変形例の平面図および断面図ある。
【図５】本発明の第二実施形態に係る楽器用ミュート部材の平面図および断面図である。
【図６】本発明の第二実施形態に係る楽器用ミュート部材の変形例の平面図および断面図ある。
【発明を実施するための形態】
【００１１】
（第一実施形態）
以下、本発明に係る楽器用ミュート部材の一実施形態を、図１から図４を参照しながら説明する。なお、図面を見やすくするため、各構成要素の厚さや寸法の比率は適宜調整されている。
【００１２】
図１は、本実施形態に係る楽器用ミュート部材１００の全体の構成を示す図である。また、図２は楽器用ミュート部材１００の平面図および断面図である。
図１に示すように、楽器用ミュート部材１００は、ドラムヘッド（振動部材）Ｄの少なくとも一部に重ねて配されて使用するものである。
【００１３】
なお、図１において、フープＨはドラム本体Ｂの開口に嵌合されるドラムヘッドＤの周縁部を保持するヘッド枠を下方向に押圧する締枠である。ラグＬは、ドラム本体Ｂの外周面に設けられ、フープＨとドラムヘッドＤを固定し、ドラムヘッドＤのテンションを調節する部材である。ロッドＲはフープＨをラグＬに連結固定するボルトである。
【００１４】
図１および図２に示すように、本実施形態に係る楽器用ミュート部材１００は、第一振動抑制部１と、第二振動抑制部２と、を備えている。
【００１５】
第一振動抑制部１は、紙、布、樹脂等の柔軟性のある素材で構成され、ドラムヘッドの内周縁部を覆う環状に形成されている。第一振動抑制部１は、少なくとも一つの平坦面を有しており、その平坦面がドラムヘッドＤとの接触面を構成する。第一振動抑制部１は、接触面をドラムヘッドＤに接触させ、ドラムヘッドＤ上に配置される。
【００１６】
第一振動抑制部１は、複数の素材を合わせて構成されていてもよい。例えば、第一振動抑制部１は、布とスポンジを積層して形成されていてもよく、また、プラスティックにより薄く形成されたプラスティックシートと布を組み合わせて形成されていてもよい。
【００１７】
ドラムヘッドＤ上に配置された第一振動抑制部１は、自身の重みにより、スティック等の打撃体によるドラムヘッドＤに対する打撃により発生するドラムヘッドＤの振動が速く減衰するように振動を抑制する（振動抑制効果）。
また、ドラムヘッドＤ上に配置された第一振動抑制部１は、環状の形状により、ドラムヘッドＤに発生した振動のうち、ドラム本体Ｂに伝達される振動を低減する（伝達抑制効果）。
これらの効果により、ドラムが発する音をミュートすることができる。
【００１８】
第二振動抑制部２は、紙、布、樹脂等の柔軟性のある素材で構成され、円環状の第一振動抑制部１の内側空洞を覆う円形状に形成されている。第二振動抑制部２は、少なくとも一つの平坦面を有しており、その平坦面がドラムヘッドＤとの接触面を構成する。第二振動抑制部２は、接触面をドラムヘッドＤに接触させ、ドラムヘッドＤ上に配置される。
【００１９】
第二振動抑制部２は、第一振動抑制部１同様、複数の素材を合わせて構成されていてもよい。また、第一振動抑制部１と第二振動抑制部２とが同一の素材で一体成形されたものであってもよい。
【００２０】
ドラムヘッドＤ上に配置された第二振動抑制部２は、自身の重みにより、スティック等の打撃体によるドラムヘッドＤに対する打撃により発生するドラムヘッドＤの振動が速く減衰するように振動を抑制する（振動抑制効果）。
また、ドラムヘッドＤ上に配置された第二振動抑制部２は、スティック等の打撃体が接触する有効打撃領域上に配置されることから、第二振動抑制部２は、スティックなどの打撃体からドラムヘッドＤが受ける運動エネルギー自体を低減させる（打撃力低減効果）。
これらの効果により、ドラムが発する音をミュートすることができる。
【００２１】
図３は、楽器用ミュート部材１００をドラムヘッドＤに重ねて配した際の断面図である。第一振動抑制部１の接触面と、第二振動抑制部２の接触面とは、同一の連続する平坦面をなしており、第一振動抑制部１と第二振動抑制部２とは、図３に示すように、平坦面をドラムヘッドＤに接触させ、ドラムヘッドＤ上に配置される。
また、第一振動抑制部１の接触面の面積は、第二振動抑制部２の接触面の面積よりも小さい。
【００２２】
このように構成された楽器用ミュート部材１００において、第一振動抑制部１は、第二振動抑制部２と比較して、平坦面における単位面積当たりの質量が大きく、スティック等の打撃体によるドラムヘッドＤに対する打撃により発生するドラムヘッドＤの振動が速く減衰するように振動を抑制する（振動抑制効果）。そのため、第一振動抑制部１は、第二振動抑制部２と比較して、ドラムヘッドＤの振動抑制力が高い。逆に、第二振動抑制部２は、第一振動抑制部１と比較して、平坦面における単位面積当たりの質量が小さく、ドラムヘッドＤの振動抑制力が低い。
【００２３】
図３に示すように、第一振動抑制部１は、第二振動抑制部２と比較して、平坦面の法線方向の厚みが厚い。例えば、第一振動抑制部１と第二振動抑制部２とが同一の素材で形成されている場合は、平坦面の法線方向の厚みが厚い第一振動抑制部１は、第二振動抑制部２より、平坦面における単位面積当たりの質量が大きくなる。
【００２４】
また、第一振動抑制部１および第一振動抑制部１の材質の比重を変えて、平坦面における単位面積当たりの質量に差をつけてもよい。第一振動抑制部１と第二振動抑制部２との平坦面の法線方向の厚みが同じであっても、第一振動抑制部１の素材の比重が第二振動抑制部の素材の比重より大きければ、第一振動抑制部１は第二振動抑制部２より平坦面における単位面積当たりの質量が大きくなる。
【００２５】
ここで、平坦面の法線方向の厚みと、材質の比重とを組み合わせて、第一振動抑制部１と第二振動抑制部２との平坦面における単位面積当たりの質量に差をつけてもいい。
【００２６】
第一振動抑制部１は、第二振動抑制部２と比較して、平坦面における単位面積当たりの質量が大きい。そのため、第二振動抑制部２が非常に薄い布で形成されている場合であっても、第一振動抑制部１は第二振動抑制部２をドラムヘッドＤに密着させ、ドラムヘッドＤから離れにくくする（密着効果）。第二振動抑制部２がドラムヘッドＤに密着することで、ドラムのミュート効果が高まる。
【００２７】
また、第一振動抑制部１は、第二振動抑制部２と比較すると、ドラムヘッドＤの振動抑制力が高いため、打撃力低減効果も高い。
【００２８】
次に、楽器用ミュート部材１００の使い方や動作について説明する。
使用者は、楽器用ミュート部材１００をドラムヘッドＤの少なくとも一部に重ねて配する。
使用者は、スティック等の打撃体で、ドラムヘッドＤの有効打撃領域に配された第二振動抑制部２を打撃する。第二振動抑制部２は、スティックなどの打撃体からドラムヘッドＤが受ける運動エネルギー自体を低減させ（打撃力低減効果）、ドラムが発する音量、特にアタック音の音量を低減させることができる。
ドラムヘッドＤ上に配置された第一振動抑制部１および第二振動抑制部２は、自身の重みにより、ドラムヘッドＤに発生した振動が速く減衰するように振動を抑制する（振動抑制効果）。
また、ドラムヘッドＤ上に配置された第一振動抑制部１は、環状の形状により、ドラムヘッドＤに発生した振動のうち、ドラム本体Ｂに伝達される振動を低減する（伝達抑制効果）。
これらの効果により、ドラムが発する音をミュートすることができる。
【００２９】
（第一実施形態の効果）
以上のように構成される本実施形態の楽器用ミュート部材１００は、ドラムヘッドＤ上に配するだけでドラムに容易に着脱可能である。また、スティックなどの打撃体からドラムヘッドＤが受ける運動エネルギー自体を低減させる（打撃力低減効果）。
また、第一振動抑制部１と第二振動抑制部２とが同一の平坦面をなして、その平坦面とドラムヘッドＤが面しており、ドラムヘッドＤに発生した振動が速く減衰するように振動を抑制する（振動抑制効果）。
また、第二振動抑制部２より振動抑制力が高い第一振動抑制部１がドラムヘッドの内周縁部に配置されることで、ドラムヘッドＤに発生した振動のうち、ドラム本体Ｂに伝達される振動を低減する（伝達抑制効果）。
さらに、第一振動抑制部１は第二振動抑制部２をドラムヘッドＤに密着させ、ドラムヘッドＤから離れにくくする（密着効果）。
【００３０】
本実施形態においては、伝達抑制効果が高い第一振動抑制部１をドラムヘッドの内周縁部に配置した。また、第一振動抑制部１と比較すると打撃力低減効果が低い第二振動抑制部２を有効打撃領域に配置した。
このように第一振動抑制部１と第二振動抑制部２とを配置することで、打撃により生じる音に関しては第二振動抑制部２により適度にミュートし、一方で振動がドラム本体Ｂに伝達されて生じる音に関しては第一振動抑制部１により強くミュートを行うことができる。
【００３１】
（変形例）
以上、本発明の第一実施形態について図面を参照して詳述したが、具体的な構成はこの実施形態に限られるものではなく、本発明の要旨を逸脱しない範囲の設計変更等も含まれる。また、上述の第一実施形態および変形例において示した構成要素は適宜に組み合わせて構成することが可能である。
【００３２】
上記実施形態では、第一振動抑制部１と第二振動抑制部２とのドラムヘッドＤの振動抑制力の差は、第一振動抑制部１と第二振動抑制部２との平坦面における単位面積当たりの質量の違いにより生じていた。
しかし、振動抑制力の差の設け方はこれに限定されない。例えば、第一振動抑制部１を、第二振動抑制部２と比較して、ドラムヘッドＤの振動を抑制しやすい振動特性をもつ構造により形成し、振動抑制力に差を設けてもよい。
【００３３】
図４は、楽器用ミュート部材１００の変形例である楽器用ミュート部材１００Ａの平面図および断面図である。
楽器用ミュート部材１００Ａは、第一ミュート部材３と、第二ミュート部材４と、を備えている。
第一ミュート部材３は、柔軟性のある素材で構成され、ドラムヘッドＤの内周縁部を覆う環状に形成されている。
第二ミュート部材４は、柔軟性のある素材で構成され、ドラムヘッドＤのほぼ全体を覆う円形状に形成されている。第二ミュート部材４は、平坦面を有しており、その平坦面がドラムヘッドＤとの接触面を構成する。第二ミュート部材４は、接触面をドラムヘッドＤに接触させ、ドラムヘッドＤ上に配置される。
第一ミュート部材３は、第二ミュート部材４の接触面の反対側の面に積層されている。
【００３４】
すなわち、楽器用ミュート部材１００Ａにおいて、第一振動抑制部１は、第二ミュート部材４の上に第一ミュート部材３が積層された部分であり、第二振動抑制部２は第二ミュート部材４の上に第一ミュート部材３が積層されてない部分である。第一振動抑制部１は、第二振動抑制部２と比較して、平坦面における単位面積当たりの質量が大きく、ドラムヘッドＤの振動抑制力が高い。
【００３５】
楽器用ミュート部材１００Ａは二枚のミュート部材を積層することで容易に形成することができる。
【００３６】
また、上記実施形態では、楽器用ミュート部材１００は、ドラムのドラムヘッドＤの少なくとも一部に重ねて配されて使用していた。しかしながら、楽器用ミュート部材１００の使用態様はこれに限定されない。例えば、楽器用ミュート部材１００は、振動部材を有する楽器にも使用できる。楽器用ミュート部材１００は、打撃により振動が発生する振動部材に重ねて配されることで、打撃力低減効果、振動抑制効果、伝達抑制効果や密着効果を発揮することができる。
【００３７】
（第二実施形態）
次に本発明の第二実施形態について、図５および図６を参照して説明する。なお、以降の説明において、すでに説明したものと共通する構成等については、同一の符号を付して重複する説明を省略する。
【００３８】
図５は本実施形態に係る楽器用ミュート部材２００の平面図と断面図である。図５に示すように、本実施形態に係る楽器用ミュート部材２００は、第一振動抑制部１０と、第二振動抑制部２０と、を備えている。
【００３９】
第二振動抑制部２０は、紙、布、樹脂等の柔軟性のある素材で構成され、ドラムヘッドの内周縁部を覆う環状に形成されている。
【００４０】
第一振動抑制部１０は、紙、布、樹脂等の柔軟性のある素材で構成され、円環状の第二振動抑制部２０の内側空洞を覆う円形状に形成されている。
【００４１】
第一振動抑制部１０の接触面と、第二振動抑制部２０の接触面とは、同一の連続する平坦面をなしており、第一振動抑制部１０と第二振動抑制部２０とは、図５に示すように、平坦面をドラムヘッドＤに接触させ、ドラムヘッドＤ上に配置される。
また、第一振動抑制部１０の接触面の面積は、第二振動抑制部２０の接触面の面積よりも小さい。
【００４２】
このように構成された楽器用ミュート部材２００において、第一振動抑制部１０は、第二振動抑制部２０と比較して、平坦面における単位面積当たりの質量が大きく、スティック等の打撃体によるドラムヘッドＤに対する打撃により発生するドラムヘッドＤの振動が速く減衰するように振動を抑制する（振動抑制効果）。そのため、第一振動抑制部１０は、第二振動抑制部２０と比較して、ドラムヘッドＤの振動抑制力が高い。
【００４３】
すなわち、楽器用ミュート部材２００は、第一実施形態の第一振動抑制部１と第二振動抑制部２との配置が入れ替わったものである。
【００４４】
（第二実施形態の効果）
以上のように構成される本実施形態の楽器用ミュート部材２００は、第一振動抑制部１０と比較すると伝達抑制効果が低い第二振動抑制部２０をドラムヘッドの内周縁部に配置し、打撃力低減効果が高い第一振動抑制部１０を有効打撃領域に配置した。
このように第一振動抑制部１０と第二振動抑制部２０と配置することで、打撃により生じる音に関しては第一振動抑制部１０により強くミュートし、一方で振動がドラム本体Ｂに伝達されて生じる音に関しては第二振動抑制部２０により適度にミュートを行うことができる。
【００４５】
第一実施形態および第二実施形態で示したように、第一振動抑制部（１，１０）と第二振動抑制部（２，２０）との配置を変更することで、打撃により生じる音のミュートと打撃による振動がドラム本体Ｂに伝達されて生じる音のミュートとを別々に調整可能である。
【００４６】
（変形例）
以上、本発明の第二実施形態について図面を参照して詳述したが、具体的な構成はこの実施形態に限られるものではなく、本発明の要旨を逸脱しない範囲の設計変更等も含まれる。また、上述の第二実施形態および変形例において示した構成要素は適宜に組み合わせて構成することが可能である。
【００４７】
図６は、楽器用ミュート部材２００の変形例である楽器用ミュート部材２００Ａの平面図および断面図である。
楽器用ミュート部材２００Ａは、第一ミュート部材３０と、第二ミュート部材４と、を備えている。
第一ミュート部材３０は、柔軟性のある素材で構成され、第二ミュート部材４の径寸法より小さい係寸法を有する円形状に形成されている。
第一ミュート部材３０は、第二ミュート部材４の接触面の反対側の面に積層されている。第一ミュート部材３０と第二ミュート部材４の中心点はドラムヘッドＤの法線方向に見て一致している。
【００４８】
すなわち、楽器用ミュート部材２００Ａにおいて、第一振動抑制部１０は、第二ミュート部材４の上に第一ミュート部材３０が積層された部分であり、第二振動抑制部２０は第二ミュート部材４の上に第一ミュート部材３０が積層されてない部分である。第一振動抑制部１０は、第二振動抑制部２０と比較して、平坦面における単位面積当たりの質量が大きく、ドラムヘッドＤの振動抑制力が高い。
【００４９】
楽器用ミュート部材２００Ａは二枚のミュート部材を積層することで容易に形成することができる。
【符号の説明】
【００５０】
１００，１００Ａ，２００，２００Ａ…楽器用ミュート部材、１，１０…第一振動抑制部、２，２０…第二振動抑制部、３，３０…第一ミュート部材、４…第二ミュート部材
【図１】
2018146747.tif 000003
【図２】
2018146747.tif 000004
【図３】
2018146747.tif 000005
【図４】
2018146747.tif 000006
【図５】
2018146747.tif 000007
【図６】
2018146747.tif 000008